(57)【要約】【課題】光源群の温度上昇を抑制するとともに、製造コストを低下させる。【解決手段】バックライト装置１２は、外周端面の少なくとも一部に光が入射される入光端面１９ａを有する導光板１９と、入光端面１９ａに沿って一列に並ぶ複数のＬＥＤ１７と、複数のＬＥＤ１７のうち、連続して並ぶ複数ずつのＬＥＤ１７からなる複数のＬＥＤ群３１と、複数のＬＥＤ群３１に最大輝度が制限された輝度制限ＬＥＤ群３４が選択的に含まれるよう、複数のＬＥＤ群３１の駆動を制御するＬＥＤ制御部２６と、を備える。【選択図】図７
2018181809.tif 000002
【特許請求の範囲】
【請求項１】
外周端面の少なくとも一部に光が入射される入光端面を有する導光板と、
前記入光端面に沿って一列に並ぶ複数の光源と、
複数の前記光源のうち、連続して並ぶ複数ずつの前記光源からなる複数の光源群と、
複数の前記光源群に最大輝度が制限された輝度制限光源群が選択的に含まれるよう、複数の前記光源群の駆動を制御する光源制御部と、を備える照明装置。
【請求項２】
複数の前記光源群には、複数の前記光源の並び方向について相対的に中央側に配される中央側光源群と、前記並び方向について相対的に端側に配される端側光源群と、が少なくとも含まれており、
前記光源制御部は、前記端側光源群に前記輝度制限光源群が含まれてその最大輝度が前記中央側光源群に係る最大輝度よりも低くなるよう制御する請求項１記載の照明装置。
【請求項３】
複数の前記光源群には、前記並び方向について前記中央側光源群と前記端側光源群との間に配される中間光源群が含まれており、
前記光源制御部は、前記中間光源群に前記輝度制限光源群が含まれてその最大輝度が前記中央側光源群に係る最大輝度よりも低いものの、前記端側光源群に係る最大輝度よりは高くなるよう制御する請求項２記載の照明装置。
【請求項４】
前記光源制御部は、前記中央側光源群については最大輝度が１００％となるよう駆動を制御する請求項２または請求項３記載の照明装置。
【請求項５】
複数の前記光源が実装される光源基板と、前記光源基板に接する形で配されて部分的に放熱性が低い低放熱部を有する放熱部材と、を備えており、
前記光源制御部は、複数の前記光源群のうち、前記低放熱部に最も近いものが前記輝度制限光源群となるよう駆動を制御する請求項１から請求項４のいずれか１項に記載の照明装置。
【請求項６】
前記放熱部材は、前記光源基板が取り付けられる光源基板取付部と、前記光源基板取付部に連なるとともに前記導光板の板面に並行する形で延在して前記導光板と重畳配置される放熱部と、を少なくとも有しており、
前記光源基板には、給電部材が接続される給電接続部が前記放熱部側に向けて突出する形で設けられているのに対し、前記放熱部のうち前記給電接続部と重畳する部分には、前記低放熱部として開口部が設けられている請求項５記載の照明装置。
【請求項７】
前記光源基板は、前記光源群及び前記給電接続部を複数ずつ有するとともに、前記入光端面に沿って複数が隣り合う形で並んで配されており、
複数の前記給電接続部は、前記光源基板において複数の前記光源の並び方向について対称となる位置に配される請求項６記載の照明装置。
【請求項８】
前記光源基板は、前記給電接続部を２つ有するとともに、前記入光端面に沿って２つが隣り合う形で並んで配されており、
２つの前記給電接続部は、前記光源基板における前記並び方向についての中央位置と端位置との間の中間位置に対して前記中央位置側に偏在する請求項７記載の照明装置。
【請求項９】
前記光源制御部は、前記光源を周期的に点滅させ、点灯期間と消灯期間との時間比率を変化させるようにしている請求項１から請求項８のいずれか１項に記載の照明装置。
【請求項１０】
請求項１から請求項９のいずれか１項に記載の照明装置と、
前記照明装置から照射される光を利用して画像を表示する表示パネルと、を備える表示装置。
【請求項１１】
請求項１０に記載された表示装置を備えるテレビ受信装置。
【発明の詳細な説明】
【技術分野】
【０００１】
本発明は、照明装置、表示装置及びテレビ受信装置に関する。
【背景技術】
【０００２】
従来の液晶表示装置に用いられるバックライト装置の一例として下記特許文献１に記載されたものが知られている。この特許文献１には、一個の基板上に、複数の半導体発光素子を並列接続して構成した発光素子ブロックを複数個設け、前記複数の発光素子ブロックを直列接続して構成する半導体発光装置（バックライト装置）において、前記基板上の直列接続配置の中央に位置する発光素子ブロックを構成する発光素子の数が、他の発光素子ブロックを構成する発光素子の数より多くしたものが記載されている。
【先行技術文献】
【特許文献】
【０００３】
【特許文献１】特許第５５４５８４８号公報
【発明の概要】
【発明が解決しようとする課題】
【０００４】
上記した特許文献１に記載された半導体発光装置では、基板上の直列接続配置の中央に位置する発光素子ブロックを構成する発光素子の数を多くすることで、上記中央に位置する発光素子ブロックを構成する各発光素子の電流を減少させ、もって各発光素子の発熱量を減少させている。しかしながら、発光素子の数が互いに異なる複数種類の発光素子ブロックを備える特殊な構造となるため、製造コストが高くなるなどの問題があった。
【０００５】
本発明は上記のような事情に基づいて完成されたものであって、光源群の温度上昇を抑制するとともに、製造コストを低下させることを目的とする。
【課題を解決するための手段】
【０００６】
本発明の照明装置は、外周端面の少なくとも一部に光が入射される入光端面を有する導光板と、前記入光端面に沿って一列に並ぶ複数の光源と、複数の前記光源のうち、連続して並ぶ複数ずつの前記光源からなる複数の光源群と、複数の前記光源群に最大輝度が制限された輝度制限光源群が選択的に含まれるよう、複数の前記光源群の駆動を制御する光源制御部と、を備える。
【０００７】
このようにすれば、光源制御部によって複数の光源群の駆動を制御することで、複数の光源群に含まれる複数ずつの光源がそれぞれ発光される。複数の光源から発せられた光は、導光板の入光端面に入射された後に導光板から出射される。光源制御部は、複数の光源群に含まれる特定の光源群である輝度制限光源群について最大輝度を制限しているから、その輝度制限光源群付近に生じる温度上昇を抑制することができる。これにより、温度上昇に伴う光源の劣化や故障の発生が生じ難くなる。その上で、従来のように発光素子の数が互いに異なる複数種類の発光素子ブロックを備える場合に比べると、光源に係る構成を特殊なものとする必要がなく、製造コストを低く抑える上で好適となる。
【発明の効果】
【０００８】
本発明によれば、光源群の温度上昇を抑制するとともに、製造コストを低下させることができる。
【図面の簡単な説明】
【０００９】
【図１】本発明の実施形態１に係るテレビ受信装置の概略構成を示す分解斜視図
【図２】液晶表示装置の断面図
【図３】液晶表示装置を構成するバックライト装置の平面図
【図４】図２のＡ−Ａ線断面図
【図５】液晶表示装置の電気的構成を表すブロック図
【図６】各ＬＥＤ群の電気的な接続構成を表す回路図
【図７】各ＬＥＤ群の最大輝度値を示す表
【図８】液晶パネルの中央位置に面積比率１０％の白画像を表示した状態を示す図
【図９】液晶パネルの中央位置に面積比率１０％の白画像を表示したときの各ＬＥＤ群の輝度値を示す表
【図１０】液晶パネルの中央位置よりも右寄り位置に面積比率１０％の白画像を表示した状態を示す図
【図１１】液晶パネルの中央位置よりも右寄り位置に面積比率１０％の白画像を表示したときの各ＬＥＤ群の輝度値を示す表
【図１２】液晶パネルの右端寄り位置に面積比率１０％の白画像を表示した状態を示す図
【図１３】液晶パネルの右端寄り位置に面積比率１０％の白画像を表示したときの各ＬＥＤ群の輝度値を示す表
【図１４】本発明の実施形態２に係る液晶表示装置を構成するバックライト装置の断面図
【発明を実施するための形態】
【００１０】
＜実施形態１＞
本発明の実施形態１を図１から図１３によって説明する。本実施形態では、液晶表示装置１０及びそれを用いたテレビ受信装置１０ＴＶについて例示する。なお、各図面の一部にはＸ軸、Ｙ軸及びＺ軸を示しており、各軸方向が各図面で示した方向となるように描かれている。また、図２及び図４などに示す上側を表側とし、同図下側を裏側とする。
【００１１】
本実施形態に係るテレビ受信装置１０ＴＶは、図１に示すように、全体として横長の略方形状をなす液晶表示装置１０と、当該液晶表示装置１０を挟むようにして収容する表裏両キャビネット１０Ｃａ，１０Ｃｂと、電源１０Ｐと、テレビ信号を受信するチューナー（受信部）１０Ｔと、スタンド１０Ｓと、を備えて構成される。液晶表示装置１０は、図２に示すように、画像を表示する液晶パネル（表示パネル）１１と、液晶パネル１１に表示のための光を供給するバックライト装置（照明装置）１２と、を備え、これらが枠状のベゼル１３などにより一体的に保持される。本実施形態に係る液晶表示装置１０は、液晶パネル１１の画面サイズが例えば６０インチ以上とされ、一般的には大型または超大型に分類される。
【００１２】
液晶パネル１１は、図２に示すように、一対のガラス基板が所定のギャップを隔てた状態で貼り合わせられるとともに、両ガラス基板間に電界印加に伴って光学特性が変化する物質である液晶分子を含む液晶層（図示せず）が封入された構成とされる。一方のガラス基板（アレイ基板、アクティブマトリクス基板）の内面側には、互いに直交するソース配線とゲート配線とに接続されたスイッチング素子（例えばＴＦＴ）と、ソース配線とゲート配線とに囲まれた方形状の領域に配されてスイッチング素子に接続される画素電極と、がマトリクス状に平面配置される他、配向膜等が設けられている。他方のガラス基板（対向基板、ＣＦ基板）の内面側には、Ｒ（赤色），Ｇ（緑色），Ｂ（青色）等の各着色部が所定配列でマトリクス状に平面配置されたカラーフィルタが設けられる他、各着色部間に配されて格子状をなす遮光層（ブラックマトリクス）、画素電極と対向状をなすベタ状の対向電極、配向膜等が設けられている。なお、両ガラス基板の外面側には、それぞれ偏光板が配されている。また、液晶パネル１１における長辺方向がＸ軸方向と一致し、短辺方向がＹ軸方向と一致し、さらに厚さ方向がＺ軸方向と一致している。
【００１３】
バックライト装置１２は、図２及び図３に示すように、表側（液晶パネル１１側）に向けて開口する光出射部１４ｂを有した略箱型をなすシャーシ（筐体）１４と、シャーシ１４の光出射部（開口部）１４ｂを覆う形で配される光学部材（光学シート）１５と、光学部材１５を裏側から支持するフレーム１６と、を備える。さらに、シャーシ１４内には、光源であるＬＥＤ（Light Emitting Diode：発光ダイオード）１７と、ＬＥＤ１７が実装されたＬＥＤ基板（光源基板）１８と、ＬＥＤ１７からの光を導光して光学部材１５（液晶パネル１１）へと導く導光板１９と、導光板１９の裏側に積層配置される反射シート２０と、ＬＥＤ基板１８に接する形で配される放熱部材２１と、が備えられる。そして、このバックライト装置１２は、その短辺方向（Ｙ軸方向）についての片方の端部にＬＥＤ基板１８が配されており、ＬＥＤ１７からの光が導光板１９に対して片側から入光される片側入光タイプのエッジライト型（サイドライト型）とされる。続いて、バックライト装置１２の各構成部品について詳しく説明する。
【００１４】
シャーシ１４は、金属製とされ、図２及び図３に示すように、液晶パネル１１と同様に横長の略方形状をなす底部１４ａと、底部１４ａの各辺の外端からそれぞれ立ち上がる側部１４ｃと、からなり、全体としては表側に向けて開口した浅い略箱型をなしている。シャーシ１４（底部１４ａ）は、その長辺方向がＸ軸方向（水平方向）と一致し、短辺方向がＹ軸方向（鉛直方向）と一致している。また、側部１４ｃには、フレーム１６及びベゼル１３が固定可能とされる。
【００１５】
光学部材１５は、図２に示すように、シャーシ１４の光出射部１４ｂを覆うとともに、液晶パネル１１と導光板１９との間に介在する形で配されることで、導光板１９からの出射光を透過するとともにその透過光に所定の光学作用を付与しつつ液晶パネル１１に向けて出射させる。光学部材１５は、複数枚（本実施形態では３枚）が備えられ、その具体的な種類としては、例えば拡散シート、レンズシート（プリズムシート）、反射型偏光シートなどがあり、これらの中から適宜に選択して使用することが可能である。
【００１６】
フレーム１６は、図２に示すように、導光板１９及び光学部材１５の外周縁部に沿って延在する横長の枠状部１６ａを有している。この枠状部１６ａは、光学部材１５の外周縁部をほぼ全周にわたって裏側から受けて支持するとともに、導光板１９の外周縁部をほぼ全周にわたって表側から押さえて支持する。枠状部１６ａにおける一方の長辺部における裏側の面（導光板１９及びＬＥＤ１７）との対向面には、光を反射するフレーム側反射シート２２が取り付けられている。また、フレーム１６は、枠状部１６ａから表側に向けて突出し、液晶パネル１１における外周縁部を裏側から支持する液晶パネル支持部１６ｂを有している。
【００１７】
ＬＥＤ１７は、図２及び図３に示すように、ＬＥＤ基板１８に固着される基板部上にＬＥＤチップを封止材により封止した構成とされる。このＬＥＤ１７は、図示しないアノード端子及びカソード端子を有しており、これらの間に順バイアスとなる直流電流が流されることで、ＬＥＤチップが発光するようになっている。ＬＥＤ１７は、ＬＥＤチップが例えば青色光を単色発光するものとされ、封止材に蛍光体（黄色蛍光体、緑色蛍光体、赤色蛍光体など）が分散配合されることで全体として白色光を発する。ＬＥＤ１７は、自身の発光面１７ａとは反対側の面が次述するＬＥＤ基板１８に実装されており、いわゆる頂面発光型とされる。
【００１８】
ＬＥＤ基板１８は、図２及び図３に示すように、Ｘ軸方向（入光端面１９ａの長手方向）に沿って延在する板状をなしており、一対（２つ）がＸ軸方向に沿って隣り合う配置でもってシャーシ１４内に収容されている。ＬＥＤ基板１８は、複数のＬＥＤ１７が実装される実装面が次述する導光板１９の端面（入光端面１９ａ）と対向する形で配されるとともに、ＬＥＤ１７の実装面とは反対側の板面が放熱部材２１に接する形で取り付けられている。ＬＥＤ基板１８におけるＬＥＤ１７の実装面には、金属膜（銅箔など）からなり、各ＬＥＤ１７の端子などに接続される配線パターン（図示せず）が形成されている。なお、図２では、紙面の都合上、ＬＥＤ基板１８におけるＬＥＤ１７の設置数を実際よりも少なく図示しているが、実際には例えば各ＬＥＤ基板１８には１２８個ずつのＬＥＤ１７が実装されている。
【００１９】
ＬＥＤ基板１８は、図２及び図４に示すように、Ｘ軸方向に沿って延在していて複数のＬＥＤ１７が実装されるＬＥＤ実装部（光源実装部）１８ａと、ＬＥＤ実装部１８ａからＺ軸方向に沿って裏側（放熱部２１ｂ側）に向けて突出する給電用突出部１８ｂと、を有してなる。ＬＥＤ実装部１８ａにおける導光板１９側を向いた実装面には、複数のＬＥＤ１７がＸ軸方向に沿って一定の間隔を空けて一列に並んだ形で実装されている。給電用突出部１８ｂにおける導光板１９側を向いた面には、ＬＥＤ１７に対する給電のための基板側コネクタ（給電接続部）２３が実装されている。給電用突出部１８ｂ及び基板側コネクタ２３は、ＬＥＤ基板１８においてＸ軸方向（ＬＥＤ１７の並び方向）について対称となる位置に一対ずつ配されている。これにより、バックライト装置１２に用いられる一対のＬＥＤ基板１８を共通構造とすることができるので、ＬＥＤ基板１８に係る製造コストを低下させる上で好適となる。給電用突出部１８ｂは、シャーシ１４の底部１４ａに開口形成された開口部１４ａ１など（後述する放熱部材２１の開口部２１ｂ１を含む）を通してシャーシ１４の裏側に突き出す形で配されており、シャーシ１４からの突出部分に基板側コネクタ２３が配置されている。基板側コネクタ２３には、図示しないＬＥＤ駆動回路基板に接続された配線部材（給電部材）２４の端末に設けられた配線側コネクタ（電源側接続部）２４ａが嵌合接続されている。
【００２０】
導光板１９は、ほぼ透明な合成樹脂材料（例えばＰＭＭＡなどのアクリル樹脂やポリカーボネートなど）とされ、屈折率が空気よりも十分に高くなっている。導光板１９は、図２及び図３に示すように、液晶パネル１１などと同様に横長の板状をなしていてシャーシ１４によりその周りが取り囲まれた形で収容されるとともに、液晶パネル１１及び光学部材１５の直下位置に配されている。導光板１９は、その外周端面のうち一方（図２に示す左側）の長辺側の端面が、ＬＥＤ１７と対向状をなしていてＬＥＤ１７からの光が入射される入光端面（光源対向端面）１９ａとされる。導光板１９は、表裏一対の板面のうち、表側（液晶パネル１１側）を向いた板面が、光を液晶パネル１１に向けて出射させる出光板面１９ｂとされ、裏側を向いた板面が出光板面１９ｂとは反対側の出光反対板面１９ｃとされる。このような構成により、導光板１９は、ＬＥＤ１７からＹ軸方向に沿って発せられた光を入光端面１９ａから導入するとともに、その光を内部で伝播させた後にＺ軸方向に沿って立ち上げて出光板面１９ｂから光学部材１５側（表側、光出射側）へ向けて出射させる機能を有している。
【００２１】
反射シート２０は、図３に示すように、導光板１９の出光反対板面１９ｃを覆う形で配される。反射シート２０は、光反射性に優れており、導光板１９の出光反対板面１９ｃから漏れた光を表側（出光板面１９ｂ側）に向けて効率的に立ち上げることができる。反射シート２０は、導光板１９よりも一回り大きな外形を有しており、その一方の長辺側の端部が入光端面１９ａよりもＬＥＤ１７側に突き出す形で配されている。
【００２２】
放熱部材２１は、例えばアルミニウムなどの熱伝導性に優れた金属製とされる。放熱部材２１は、図２及び図３に示すように、Ｘ軸方向に沿って延在していてその長さ寸法が導光板１９の長辺寸法と同等とされている。この放熱部材２１には、一対のＬＥＤ基板１８がＸ軸方向に沿って隣り合う形で並んだ状態で取り付けられている。放熱部材２１は、断面形状が略Ｌ字型をなしており、一対のＬＥＤ基板１８が取り付けられるＬＥＤ基板取付部（光源基板取付部）２１ａと、ＬＥＤ基板取付部２１ａにおける裏側の端部から導光板１９側に向けてＹ軸方向に沿って延出する放熱部２１ｂと、から構成される。ＬＥＤ基板取付部２１ａは、ＬＥＤ基板１８の板面に並行する板面を有しており、ＬＥＤ基板１８側とは反対側の板面がシャーシ１４の側部１４ｃに接する形で配されている。放熱部２１ｂは、導光板１９及びシャーシ１４の底部１４ａの板面に並行する板面を有しており、導光板１９側（反射シート２０側）とは反対側の板面がシャーシ１４の底部１４ａに接する形で配されている。放熱部２１ｂは、ＬＥＤ基板取付部２１ａに比べると、大きな面積を有しており、放熱部材２１において放熱機能を主体的に担う部位である。発光に伴って各ＬＥＤ１７から発せられた熱は、ＬＥＤ基板１８から放熱部材２１のＬＥＤ基板取付部２１ａ及び放熱部２１ｂに伝達された後にシャーシ１４の側部１４ｃ及び底部１４ａへと伝達されることで放散されるようになっている。放熱部２１ｂのうち、ＬＥＤ基板１８における給電用突出部１８ｂ及び基板側コネクタ２３と平面に視て重畳する部分には、給電用突出部１８ｂ及び基板側コネクタ２３を通すための開口部２１ｂ１が形成されている。この放熱部２１ｂの開口部２１ｂ１は、シャーシ１４の底部１４ａに形成された開口部１４ａ１と連通している。これらの開口部１４ａ１，２１ｂ１は、一対のＬＥＤ基板１８に一対ずつ設けられた給電用突出部１８ｂ及び基板側コネクタ２３と重畳する位置に合計４つ設けられている。
【００２３】
本実施形態に係る液晶表示装置１０は、図５に示すように、液晶パネル１１の駆動を制御するためのパネル制御部２５と、バックライト装置１２に備わるＬＥＤ１７の駆動を制御するためのＬＥＤ制御部（光源制御部）２６と、を少なくとも有している。パネル制御部２５は、映像信号を処理する映像信号処理回路部２７と、映像信号処理回路部２７からの出力信号に基づいて各画素を駆動する画素駆動部２８とを有しており、コントロール基板に設けられている。コントロール基板には、映像信号処理回路部２７、画素駆動部２８及び後述するＬＥＤ駆動部３０の動作をそれぞれ制御するＣＰＵ２９が設けられている。ＬＥＤ制御部２６は、映像信号処理回路部２７からの出力信号に基づいてＬＥＤ１７を駆動するＬＥＤ駆動部３０を有しており、ＬＥＤ駆動回路基板に設けられている。ＬＥＤ駆動部３０は、コントロール基板のＣＰＵ２９によって動作が制御されており、画素駆動部２８の動作と同期されるようになっている。
【００２４】
ＬＥＤ制御部２６は、図３及び図４に示すように、Ｘ軸方向に沿って一列に並ぶ複数のＬＥＤ１７のうち、連続して並ぶ複数ずつのＬＥＤ１７からなる複数のＬＥＤ群（光源群）３１の駆動を個別に制御している。本実施形態では、１つのＬＥＤ群３１がＸ軸方向に沿って連続して並んで互いに直列に接続される１６個のＬＥＤ１７からなり、ＬＥＤ群３１の総数が１６個とされる。ＬＥＤ制御部２６は、例えば画素駆動部２８によって各画素が駆動されるのに伴って表示面１１ＤＳに表示される画像の表示範囲に基づいて合計１６個のＬＥＤ群３１の点灯の是非及び輝度値を個別に制御することができる。各ＬＥＤ群３１の具体的な駆動に関しては、ＬＥＤ制御部２６は、各ＬＥＤ群３１にパルス信号を供給するとともに、各ＬＥＤ群３１における点灯期間と消灯期間（非点灯期間）との時間比率（デューティ比）を調整することで単位時間当たりの発光量を制御するものとされる。つまり、ＬＥＤ制御部２６は、各ＬＥＤ群３１を周期的に点滅させ、その点灯期間と消灯期間との時間比率を変化させるＰＷＭ（Pulse Width Modulation）調光駆動を行うものとされる。以下では、１６個のＬＥＤ群３１を区別する場合は、図４に示す右端（図３に示す左端）から順に第１ＬＥＤ群３１Ａ、第２ＬＥＤ群３１Ｂ、第３ＬＥＤ群３１Ｃ、第４ＬＥＤ群３１Ｄ、第５ＬＥＤ群３１Ｅ、第６ＬＥＤ群３１Ｆ、第７ＬＥＤ群３１Ｇ、第８ＬＥＤ群３１Ｈ、第９ＬＥＤ群３１Ｉ、第１０ＬＥＤ群３１Ｊ、第１１ＬＥＤ群３１Ｋ、第１２ＬＥＤ群３１Ｌ、第１３ＬＥＤ群３１Ｍ、第１４ＬＥＤ群３１Ｎ、第１５ＬＥＤ群３１Ｏ、第１６ＬＥＤ群３１Ｐとする。図４に示す右側（図３に示す左側）のＬＥＤ基板１８には、第１ＬＥＤ群３１Ａから第８ＬＥＤ群３１Ｈが配されるのに対し、図４に示す左側（図３に示す右側）のＬＥＤ基板１８には、第９ＬＥＤ群３１Ｉから第１６ＬＥＤ群３１Ｐが配されている。
【００２５】
ＬＥＤ制御部２６のＬＥＤ駆動部３０には、図６に示すように、各ＬＥＤ群３１に対して個別に接続されるＬＥＤ駆動回路３２がＬＥＤ群３１と同数備えられている。以下では、１６個のＬＥＤ駆動回路３２を区別する場合は、第１ＬＥＤ群３１Ａに接続されたものを第１ＬＥＤ駆動回路３２Ａとし、第２ＬＥＤ群３１Ｂに接続されたものを第２ＬＥＤ駆動回路３２Ｂとし、第３ＬＥＤ群３１Ｃに接続されたものを第３ＬＥＤ駆動回路３２Ｃとし、第４ＬＥＤ群３１Ｄに接続されたものを第４ＬＥＤ駆動回路３２Ｄとし、第５ＬＥＤ群３１Ｅに接続されたものを第５ＬＥＤ駆動回路３２Ｅとし、第６ＬＥＤ群３１Ｆに接続されたものを第６ＬＥＤ駆動回路３２Ｆとし、第７ＬＥＤ群３１Ｇに接続されたものを第７ＬＥＤ駆動回路３２Ｇとし、第８ＬＥＤ群３１Ｈに接続されたものを第８ＬＥＤ駆動回路３２Ｈとし、第９ＬＥＤ群３１Ｉに接続されたものを第９ＬＥＤ駆動回路３２Ｉとし、第１０ＬＥＤ群３１Ｊに接続されたものを第１０ＬＥＤ駆動回路３２Ｊとし、第１１ＬＥＤ群３１Ｋに接続されたものを第１１ＬＥＤ駆動回路３２Ｋとし、第１２ＬＥＤ群３１Ｌに接続されたものを第１２ＬＥＤ駆動回路３２Ｌとし、第１３ＬＥＤ群３１Ｍに接続されたものを第１３ＬＥＤ駆動回路３２Ｍ、第１４ＬＥＤ群３１Ｎに接続されたものを第１４ＬＥＤ駆動回路３２Ｎとし、第１５ＬＥＤ群３１Ｏに接続されたものを第１５ＬＥＤ駆動回路３２Ｏとし、第１６ＬＥＤ群３１Ｐに接続されたものを第１６ＬＥＤ駆動回路３２Ｐとする。
【００２６】
ところで、上記したように放熱部材２１を構成する放熱部２１ｂには、図２及び図４に示すように、ＬＥＤ基板１８の給電用突出部１８ｂ及び基板側コネクタ２３を通すための開口部２１ｂ１が形成されている。このため、開口部２１ｂ１自身とともに放熱部材２１における開口部２１ｂ１付近において放熱性能が局所的に低下しており、ここが低放熱部３３となっている。このような低放熱部３３の近傍に配されるＬＥＤ１７は、放熱が十分になされないために温度上昇が生じ易くなっており、場合によってはＬＥＤ１７に性能の劣化が生じたり、ＬＥＤ１７に故障が生じるおそれがある。
【００２７】
その点、本実施形態に係るバックライト装置１２に備わるＬＥＤ制御部２６は、図５及び図７に示すように、複数のＬＥＤ群３１に最大輝度が制限された輝度制限ＬＥＤ群（輝度制限光源群）３４が選択的に含まれるよう、複数のＬＥＤ群３１の駆動を制御している。図７は、ＬＥＤ制御部２６によって制御される各ＬＥＤ群３１の最大輝度の相対値である。図７における「最大輝度値」は、規格上許容され得るＬＥＤ１７の最大輝度を基準（１００％）としており、図７において最大輝度の数値が１００％の場合はＬＥＤ制御部２６が実質的に対象となるＬＥＤ群３１の最大輝度を制限していないことを意味しており、図７において最大輝度の数値が１００％より小さい場合はＬＥＤ制御部２６が実質的に対象となるＬＥＤ群３１の最大輝度を制限していることを意味する。このように、ＬＥＤ制御部２６によって輝度制限ＬＥＤ群３４の最大輝度を制限しているので、輝度制限ＬＥＤ群３４付近に生じる温度上昇を抑制することができる。これにより、温度上昇に伴うＬＥＤ１７の劣化や故障の発生が生じ難くなる。その上で、従来のように発光素子の数が互いに異なる複数種類の発光素子ブロックを備える場合に比べると、ＬＥＤ１７に係る構成を特殊なものとする必要がなく、製造コストを低く抑える上で好適となる。
【００２８】
輝度制限ＬＥＤ群３４について詳しく説明する。まず、図３及び図４に示すように、ＬＥＤ群３１のうち、Ｘ軸方向について中央側に配される第６ＬＥＤ群３１Ｆから第１０ＬＥＤ群３１Ｊを中央側ＬＥＤ群３５とし、Ｘ軸方向について両端側に配される第１ＬＥＤ群３１Ａから第４ＬＥＤ群３１Ｄと第１２ＬＥＤ群３１Ｌから第１６ＬＥＤ群３１Ｐとを端側ＬＥＤ群３６とし、Ｘ軸方向について中央側ＬＥＤ群３５と端側ＬＥＤ群３６との間に配される第６ＬＥＤ群３１Ｆと第１１ＬＥＤ群３１Ｋとを中間ＬＥＤ群３７とする。ＬＥＤ制御部２６は、図７に示すように、上記のうち端側ＬＥＤ群３６及び中間ＬＥＤ群３７に輝度制限ＬＥＤ群３４が含まれるよう駆動を制御している。具体的には、ＬＥＤ制御部２６は、中央側ＬＥＤ群３５の最大輝度の数値が実質的に無制限である「１００％」となり、端側ＬＥＤ群３６の最大輝度の数値が、中央側ＬＥＤ群３５の最大輝度の数値よりも低い「８０％」となるよう制御している。このようにすれば、導光板１９のうち、Ｘ軸方向についての中央側に配される中央側ＬＥＤ群３５によって供給される光量を最大限に確保することができる。一方、導光板１９のうち、Ｘ軸方向についての端側に配される端側ＬＥＤ群３６によって供給される光量が中央側に比べて制限されることで、液晶表示装置１０の表示品位が優れたものとなる。一方、ＬＥＤ制御部２６は、中間ＬＥＤ群３７の最大輝度の数値が、中央側ＬＥＤ群３５の最大輝度の数値よりも低いものの、端側ＬＥＤ群３６に係る最大輝度の数値よりは高い「９０％」となるよう制御している。このようにすれば、導光板１９においてＸ軸方向について中央側から端側に向かって各ＬＥＤ群３１から供給される光量が次第に少なくなる。これにより、液晶表示装置１０の表示品位がより優れたものとなる。
【００２９】
そして、ＬＥＤ制御部２６によって輝度制限ＬＥＤ群３４として制御される中間ＬＥＤ群３７である第６ＬＥＤ群３１Ｆ及び第１１ＬＥＤ群３１Ｋは、図４に示すように、全ＬＥＤ群３１の中で放熱部材２１の低放熱部３３である開口部２１ｂ１に最も近い配置とされている。このようにすれば、放熱部材２１の低放熱部３３である開口部２１ｂ１に起因してＬＥＤ基板１８が局所的に温度上昇し易くなるものの、低放熱部３３である開口部２１ｂ１に最も近い第６ＬＥＤ群３１Ｆ及び第１１ＬＥＤ群３１Ｋを輝度制限ＬＥＤ群３４となるようＬＥＤ制御部２６によって駆動を制御することで、第６ＬＥＤ群３１Ｆ及び第１１ＬＥＤ群３１Ｋ付近に生じる温度上昇を好適に抑制することができる。
【００３０】
その上で、ＬＥＤ基板１８においてＸ軸方向について対称位置に配される２つの基板側コネクタ２３は、図４に示すように、ＬＥＤ基板１８におけるＸ軸方向についての中央位置ＣＰと端位置ＥＰとの間の中間位置ＩＰに対して中央位置ＣＰ側に偏在している。従って、２つの基板側コネクタ２３と平面に視て重畳する２つの開口部２１ｂ１（低放熱部３３）及びその最も近い配置となる第６ＬＥＤ群３１Ｆ及び第１１ＬＥＤ群３１Ｋについても、上記したＬＥＤ基板１８の中間位置ＩＰに対して中央位置ＣＰ側に偏在することになる。このようにすれば、仮に中央位置ＣＰと端位置ＥＰとの間の中間位置ＩＰに２つの基板側コネクタが配された場合に比べると、輝度制限ＬＥＤ群３４である第６ＬＥＤ群３１Ｆ及び第１１ＬＥＤ群３１Ｋが上記中間位置ＩＰに対して中央位置ＣＰ側に偏在する分だけ、輝度制限ＬＥＤ群３４である第６ＬＥＤ群３１Ｆ及び第１１ＬＥＤ群３１Ｋから発せられた光が導光板１９におけるＸ軸方向についての中央側には供給され難くなる。つまり、最大輝度が制限されないＬＥＤ群３１である中央側ＬＥＤ群３５から発せられた光が導光板１９における並び方向についての中央側に供給され易くなるので、導光板１９における並び方向についての中央側に供給される光量を十分に確保することができる。
【００３１】
次に、液晶パネル１１に表示される画像に応じてＬＥＤ制御部２６によって各ＬＥＤ群３１の駆動をどのように制御するかについて詳しく説明する。以下では、液晶パネル１１の表示面１１ＤＳに白画像（最大階調画像）を表示する場合について説明する。先に、図８に示すように、液晶パネル１１の表示面１１ＤＳに表示される白画像の面積比率が１０％となり且つその配置が表示面１１ＤＳにおけるＸ軸方向について中央位置となる場合（具体的には画像の中央位置が第８ＬＥＤ群３１Ｉと第９ＬＥＤ群３１Ｈとの間となる場合）について説明する。なお、画像の面積比率は、表示面１１ＤＳにおける最大表示面積を基準（１００％）とした相対値である。また、図８では、各ＬＥＤ群３１Ａ〜３１Ｐの配置範囲を矢線にて図示する一方、白画像の表示範囲を白抜きにして図示し、白画像が表示されない非表示範囲を網掛け状にして図示している。この場合、ＬＥＤ制御部２６は、図９に示すように、中央側ＬＥＤ群３５及び中間ＬＥＤ群３７についてはそれぞれの最大輝度値でもって点灯させ、端側ＬＥＤ群３６については最大輝度値よりも低い輝度値でもって点灯させるか非点灯とされる。中間ＬＥＤ群３７は、最大輝度値でもって点灯されるものの、その最大輝度値は９０％に制限されているので、最大輝度値が実質的に制限されていない中央側ＬＥＤ群３５の輝度値である１００％に比べると、相対的に低い数値となっている。これにより、中間ＬＥＤ群３７である第６ＬＥＤ群３１Ｆ及び第１１ＬＥＤ群３１Ｋの近くにおいて低放熱部３３に起因して放熱性能が低下していても、第６ＬＥＤ群３１Ｆ及び第１１ＬＥＤ群３１Ｋに劣化や故障などが生じ難いものとなっている。なお、端側ＬＥＤ群３６のうち、中間ＬＥＤ群３７に対して端側に隣り合う第５ＬＥＤ群３１Ｅ及び第１２ＬＥＤ群３１Ｌは、２０％の輝度値で、さらにその端側に隣り合う第４ＬＥＤ群３１Ｄ及び第１３ＬＥＤ群３１Ｍについては、５％の輝度値で、それぞれ点灯され、それ以外のＬＥＤ群３１Ａ〜３１Ｃ，３１Ｎ〜３１Ｐについては非点灯とされる。
【００３２】
次に、図１０に示すように、液晶パネル１１の表示面１１ＤＳに表示される白画像の面積比率が１０％となり且つその配置が表示面１１ＤＳにおけるＸ軸方向について中央位置よりも同図の右寄りとなる場合（具体的には画像の中央位置が第１０ＬＥＤ群３１Ｊと第１１ＬＥＤ群３１Ｋとの間となる場合）について説明する。なお、図１０では、各ＬＥＤ群３１Ａ〜３１Ｐの配置範囲を矢線にて図示する一方、白画像の表示範囲を白抜きにして図示し、白画像が表示されない非表示範囲を網掛け状にして図示している。この場合、ＬＥＤ制御部２６は、図１１に示すように、中央側ＬＥＤ群３５である第８ＬＥＤ群３１Ｈ〜第１０ＬＥＤ群３１Ｊと、中間ＬＥＤ群３７である第１１ＬＥＤ群３１Ｋと、端側ＬＥＤ群３６である第１２ＬＥＤ群３１Ｌ及び第１３ＬＥＤ群３１Ｍと、についてはそれぞれの最大輝度値でもって点灯させ、上記以外のＬＥＤ群３１については最大輝度値よりも低い輝度値でもって点灯させるか非点灯とされる。中間ＬＥＤ群３７である第１１ＬＥＤ群３１Ｋは、最大輝度値でもって点灯されるものの、その最大輝度値は９０％に制限されているので、最大輝度値が実質的に制限されていない中央側ＬＥＤ群３５の輝度値である１００％に比べると、相対的に低い数値となっている。これにより、中間ＬＥＤ群３７である第１１ＬＥＤ群３１Ｋの近くにおいて低放熱部３３に起因して放熱性能が低下していても、第１１ＬＥＤ群３１Ｋに劣化や故障などが生じ難いものとなっている。なお、上記した最大輝度値で点灯されるＬＥＤ群３１に対して端側に隣り合う第７ＬＥＤ群３１Ｇ及び第１４ＬＥＤ群３１Ｎは、２０％の輝度値で、さらにその端側に隣り合う第６ＬＥＤ群３１Ｆ及び第１５ＬＥＤ群３１Ｏについては、５％の輝度値で、それぞれ点灯され、それ以外のＬＥＤ群３１Ａ〜３１Ｅ，３１Ｐについては非点灯とされる。
【００３３】
次に、図１２に示すように、液晶パネル１１の表示面１１ＤＳに表示される画像の面積比率が１０％となり且つその配置が表示面１１ＤＳにおけるＸ軸方向について同図の右端寄りとなる場合（具体的には画像の中央位置が第１２ＬＥＤ群３１Ｌと第１３ＬＥＤ群３１Ｍとの間となる場合）について説明する。なお、図１２では、各ＬＥＤ群３１Ａ〜３１Ｐの配置範囲を矢線にて図示する一方、白画像の表示範囲を白抜きにして図示し、白画像が表示されない非表示範囲を網掛け状にして図示している。この場合、ＬＥＤ制御部２６は、図１３に示すように、中央側ＬＥＤ群３５である第１０ＬＥＤ群３１Ｊと、中間ＬＥＤ群３７である第１１ＬＥＤ群３１Ｋと、端側ＬＥＤ群３６である第１２ＬＥＤ群３１Ｌ〜第１５ＬＥＤ群３１Ｏと、についてはそれぞれの最大輝度値でもって点灯させ、上記以外のＬＥＤ群３１については最大輝度値よりも低い輝度値でもって点灯させるか非点灯とされる。中間ＬＥＤ群３７である第１１ＬＥＤ群３１Ｋは、最大輝度値でもって点灯されるものの、その最大輝度値は９０％に制限されているので、最大輝度値が実質的に制限されていない中央側ＬＥＤ群３５の輝度値である１００％に比べると、相対的に低い数値となっている。これにより、中間ＬＥＤ群３７である第１１ＬＥＤ群３１Ｋの近くにおいて低放熱部３３に起因して放熱性能が低下していても、第１１ＬＥＤ群３１Ｋに劣化や故障などが生じ難いものとなっている。なお、上記した最大輝度値で点灯されるＬＥＤ群３１に対して端側に隣り合う第９ＬＥＤ群３１Ｉ及び第１６ＬＥＤ群３１Ｐは、２０％の輝度値で、さらにその端側に隣り合う第８ＬＥＤ群３１Ｈについては、５％の輝度値で、それぞれ点灯され、それ以外のＬＥＤ群３１Ａ〜３１Ｇについては非点灯とされる。
【００３４】
以上説明したように本実施形態のバックライト装置（照明装置）１２は、外周端面の少なくとも一部に光が入射される入光端面１９ａを有する導光板１９と、入光端面１９ａに沿って一列に並ぶ複数のＬＥＤ（光源）１７と、複数のＬＥＤ１７のうち、連続して並ぶ複数ずつのＬＥＤ１７からなる複数のＬＥＤ群（光源群）３１と、複数のＬＥＤ群３１に最大輝度が制限された輝度制限ＬＥＤ群（輝度制限光源群）３４が選択的に含まれるよう、複数のＬＥＤ群３１の駆動を制御するＬＥＤ制御部（光源制御部）２６と、を備える。
【００３５】
このようにすれば、ＬＥＤ制御部２６によって複数のＬＥＤ群３１の駆動を制御することで、複数のＬＥＤ群３１に含まれる複数ずつのＬＥＤ１７がそれぞれ発光される。複数のＬＥＤ１７から発せられた光は、導光板１９の入光端面１９ａに入射された後に導光板１９から出射される。ＬＥＤ制御部２６は、複数のＬＥＤ群３１に含まれる特定のＬＥＤ群３１である輝度制限ＬＥＤ群３４について最大輝度を制限しているから、その輝度制限ＬＥＤ群３４付近に生じる温度上昇を抑制することができる。これにより、温度上昇に伴うＬＥＤ１７の劣化や故障の発生が生じ難くなる。その上で、従来のように発光素子の数が互いに異なる複数種類の発光素子ブロックを備える場合に比べると、ＬＥＤ１７に係る構成を特殊なものとする必要がなく、製造コストを低く抑える上で好適となる。
【００３６】
また、複数のＬＥＤ群３１には、複数のＬＥＤ１７の並び方向について相対的に中央側に配される中央側ＬＥＤ群３５と、並び方向について相対的に端側に配される端側ＬＥＤ群３６と、が少なくとも含まれており、ＬＥＤ制御部２６は、端側ＬＥＤ群３６に輝度制限ＬＥＤ群３４が含まれてその最大輝度が中央側ＬＥＤ群３５に係る最大輝度よりも低くなるよう制御する。このようにすれば、導光板１９のうち、複数のＬＥＤ１７の並び方向についての中央側に配される中央側ＬＥＤ群３５によって供給される光量を十分に確保することができる。一方、導光板１９のうち、複数のＬＥＤ１７の並び方向についての端側に配される端側ＬＥＤ群３６によって供給される光量が中央側に比べて制限されることで、例えば導光板１９の出射光を液晶表示装置１０の照明光として用いた場合には表示品位に優れる。
【００３７】
また、複数のＬＥＤ群３１には、並び方向について中央側ＬＥＤ群３５と端側ＬＥＤ群３６との間に配される中間ＬＥＤ群３７が含まれており、ＬＥＤ制御部２６は、中間ＬＥＤ群３７に輝度制限ＬＥＤ群３４が含まれてその最大輝度が中央側ＬＥＤ群３５に係る最大輝度よりも低いものの、端側ＬＥＤ群３６に係る最大輝度よりは高くなるよう制御する。このようにすれば、導光板１９において並び方向について中央側から端側に向かって各ＬＥＤ群３１から供給される光量が次第に少なくなる。これにより、例えば導光板１９の出射光を液晶表示装置１０の照明光として用いた場合には表示品位に優れる。
【００３８】
また、ＬＥＤ制御部２６は、中央側ＬＥＤ群３５については最大輝度が１００％となるよう駆動を制御する。このようにすれば、中央側ＬＥＤ群３５に係る最大輝度が制限されずに１００％での発光を可能としているから、導光板１９における並び方向についての中央側に中央側ＬＥＤ群３５によって供給される光量を最大限に確保することができる。
【００３９】
また、複数のＬＥＤ１７が実装されるＬＥＤ基板（光源基板）１８と、ＬＥＤ基板１８に接する形で配されて部分的に放熱性が低い低放熱部３３を有する放熱部材２１と、を備えており、ＬＥＤ制御部２６は、複数のＬＥＤ群３１のうち、低放熱部３３に最も近いものが輝度制限ＬＥＤ群３４となるよう駆動を制御する。このようにすれば、放熱部材２１の低放熱部３３に起因してＬＥＤ基板１８が局所的に温度上昇し易くなるものの、低放熱部３３に最も近いＬＥＤ群３１を輝度制限ＬＥＤ群３４となるようＬＥＤ制御部２６によって駆動を制御することで、輝度制限ＬＥＤ群３４付近に生じる温度上昇を好適に抑制することができる。
【００４０】
また、放熱部材２１は、ＬＥＤ基板１８が取り付けられるＬＥＤ基板取付部（光源基板取付部）２１ａと、ＬＥＤ基板取付部２１ａに連なるとともに導光板１９の板面に並行する形で延在して導光板１９と重畳配置される放熱部２１ｂと、を少なくとも有しており、ＬＥＤ基板１８には、配線部材（給電部材）２４が接続される基板側コネクタ（給電接続部）２３が放熱部２１ｂ側に向けて突出する形で設けられているのに対し、放熱部２１ｂのうち基板側コネクタ２３と重畳する部分には、低放熱部３３として開口部２１ｂ１が設けられている。配線部材２４が接続される基板側コネクタ２３は、ＬＥＤ基板１８において放熱部２１ｂ側に向けて突出する形で設けられているものの、放熱部２１ｂのうち基板側コネクタ２３と重畳する部分には、開口部２１ｂ１が設けられているので、基板側コネクタ２３を開口部２１ｂ１に通すことが可能とされる。開口部２１ｂ１は、放熱部２１ｂにおいて放熱性が局所的に低い低放熱部３３となるものの、開口部２１ｂ１に最も近いＬＥＤ群３１が輝度制限ＬＥＤ群３４となるようＬＥＤ制御部２６によって駆動を制御することで、輝度制限ＬＥＤ群３４付近に生じる温度上昇を好適に抑制することができる。
【００４１】
また、ＬＥＤ基板１８は、ＬＥＤ群３１及び基板側コネクタ２３を複数ずつ有するとともに、入光端面１９ａに沿って複数が隣り合う形で並んで配されており、複数の基板側コネクタ２３は、ＬＥＤ基板１８において複数のＬＥＤ１７の並び方向について対称となる位置に配される。このようにすれば、複数のＬＥＤ基板１８を共通化することができるので、ＬＥＤ基板１８に係る製造コストを低下させる上で好適となる。
【００４２】
また、ＬＥＤ基板１８は、基板側コネクタ２３を２つ有するとともに、入光端面１９ａに沿って２つが隣り合う形で並んで配されており、２つの基板側コネクタ２３は、ＬＥＤ基板１８における並び方向についての中央位置ＣＰと端位置ＥＰとの間の中間位置ＩＰに対して中央位置Ｃｐ側に偏在する。ＬＥＤ基板１８に配された複数のＬＥＤ群３１のうち、２つの基板側コネクタ２３が通される開口部２１ｂ１に最も近い２つのＬＥＤ群３１が輝度制限ＬＥＤ群３４とされる。従って、仮にＬＥＤ基板１８における並び方向についての中央位置ＣＰと端位置ＥＰとの間の中間位置ＩＰに２つの基板側コネクタが配された場合に比べると、輝度制限ＬＥＤ群３４が上記中間位置ＩＰに対して中央位置ＣＰ側に偏在する分だけ、輝度制限ＬＥＤ群３４から発せられた光が導光板１９における並び方向についての中央側には供給され難くなる。つまり、最大輝度が制限されないＬＥＤ群３１から発せられた光が導光板１９における並び方向についての中央側に供給され易くなるので、導光板１９における並び方向についての中央側に供給される光量を十分に確保することができる。
【００４３】
また、ＬＥＤ制御部２６は、ＬＥＤ１７を周期的に点滅させ、点灯期間と消灯期間との時間比率を変化させるようにしている。このように、ＬＥＤ１７の発光状態を、いわゆるＰＷＭ（Pulse Width Modulation：パルス幅変調）方式により制御しているので、ＬＥＤ１７に付与する電圧値を一定にすることができてその制御に係る回路構成を簡単なものとすることができ、また調光範囲を十分に大きく確保できてＬＥＤ１７の発光状態をより適切に制御することができる。
【００４４】
また、本実施形態に係る液晶表示装置（表示装置）１０は、上記記載のバックライト装置１２と、バックライト装置１２から照射される光を利用して画像を表示する液晶パネル（表示パネル）１１と、を備える。このような構成の液晶表示装置１０によれば、ＬＥＤ群３１の温度上昇が抑制されるとともに、製造コストが好適に抑制されているので、信頼性に優れるとともに、製造コストを削減することができる。
【００４５】
また、本実施形態に係るテレビ受信装置１０ＴＶは、上記記載の液晶表示装置１０を備える。このようなテレビ受信装置１０ＴＶによれば、耐久性に優れるとともに、価格競争力に優れる。
【００４６】
＜実施形態２＞
本発明の実施形態２を図１４によって説明する。この実施形態２では、ＬＥＤ基板１１８の設置数を３つに変更したものを示す。なお、上記した実施形態１と同様の構造、作用及び効果について重複する説明は省略する。
【００４７】
本実施形態に係るＬＥＤ基板１１８は、図１４に示すように、Ｘ軸方向に沿って互いに隣り合う形で３つが並んで配されている。以下では、３つのＬＥＤ基板１１８を区別する場合は、中央のものを中央側ＬＥＤ基板１１８Ｃとし、両端のものを一対の端側ＬＥＤ基板１１８Ｅとする。各ＬＥＤ基板１１８には、ＬＥＤ群１３１が６つずつ備えられている。従って、ＬＥＤ群１３１のうち、図１４に示す右端に位置するものが第１ＬＥＤ群１３１Ａとされ、同図の左端に位置するものが第１８ＬＥＤ群１３１Ｒとされる。
【００４８】
一対の端側ＬＥＤ基板１１８ＥにおいてＸ軸方向について対称位置に配される２つの基板側コネクタ１２３は、端側ＬＥＤ基板１１８ＥにおけるＸ軸方向についての中央位置ＣＰと端位置ＥＰとの間の中間位置ＩＰに対して中央位置ＣＰ側に偏在している。これに対し、中央側ＬＥＤ基板１１８ＣにおいてＸ軸方向について対称位置に配される２つの基板側コネクタ１２３は、中央側ＬＥＤ基板１１８ＣにおけるＸ軸方向についての中央位置ＣＰと端位置ＥＰとの間の中間位置ＩＰに対して端位置ＥＰ側に偏在している。従って、中央側ＬＥＤ基板１１８Ｃにおいて２つの基板側コネクタ１２３と平面に視て重畳する２つの開口部１２１ｂ１（低放熱部１３３）及びその最も近い配置となる第７ＬＥＤ群１３１Ｇ及び第１２ＬＥＤ群１３１Ｌについても、上記した中央側ＬＥＤ基板１１８Ｃの中間位置ＩＰに対して端位置ＥＰ側に偏在することになる。なお、本実施形態では、中央側ＬＥＤ群１３５には、第８ＬＥＤ群１３１Ｈから第１１ＬＥＤ群１３１Ｋまでが含まれ、端側ＬＥＤ群１３６には、第１ＬＥＤ群１３１Ａから第６ＬＥＤ群１３１Ｆまでと、第１３ＬＥＤ群１３１Ｍから第１８ＬＥＤ群１３１Ｒまでと、が含まれ、中間ＬＥＤ群１３７には、第７ＬＥＤ群１３１Ｇと、第１２ＬＥＤ群１３１Ｌと、が含まれる。このようにすれば、仮に中央側ＬＥＤ基板１１８Ｃにおいて中央位置ＣＰと端位置ＥＰとの間の中間位置ＩＰに２つの基板側コネクタが配された場合に比べると、輝度制限ＬＥＤ群１３４である第７ＬＥＤ群１３１Ｇ及び第１２ＬＥＤ群１３１Ｌが上記中間位置ＩＰに対して端位置ＥＰ側に偏在する分だけ、輝度制限ＬＥＤ群１３４である第７ＬＥＤ群１３１Ｇ及び第１２ＬＥＤ群１３１Ｌから発せられた光が導光板におけるＸ軸方向についての中央側には供給され難くなる。つまり、最大輝度が制限されないＬＥＤ群１３１である中央側ＬＥＤ群１３５（第８ＬＥＤ群１３１Ｈから第１１ＬＥＤ群１３１Ｋまで）から発せられた光が導光板における並び方向についての中央側に供給され易くなるので、導光板における並び方向についての中央側に供給される光量を十分に確保することができる。
【００４９】
一方、各端側ＬＥＤ基板１１８Ｅにおいて２つずつの基板側コネクタ１２３と平面に視て重畳する２つずつの開口部１２１ｂ１（低放熱部１３３）及びその最も近い配置となる第３ＬＥＤ群１３１Ｃ、第４ＬＥＤ群１３１Ｄ、第１５ＬＥＤ群１３１Ｏ及び第１６ＬＥＤ群１３１Ｐについても、上記した各端側ＬＥＤ基板１１８Ｅの中間位置ＩＰに対して中央位置ＣＰ側に偏在することになる。このようにすれば、仮に各端側ＬＥＤ基板１１８Ｅにおいて中央位置ＣＰと端位置ＥＰとの間の中間位置ＩＰに２つの基板側コネクタが配された場合に比べると、輝度制限ＬＥＤ群１３４である第３ＬＥＤ群１３１Ｃ、第４ＬＥＤ群１３１Ｄ、第１５ＬＥＤ群１３１Ｏ及び第１６ＬＥＤ群１３１Ｐが上記中間位置ＩＰに対して中央位置ＣＰ側に偏在する分だけ、輝度制限ＬＥＤ群１３４である第３ＬＥＤ群１３１Ｃ、第４ＬＥＤ群１３１Ｄ、第１５ＬＥＤ群１３１Ｏ及び第１６ＬＥＤ群１３１Ｐから発せられた光が導光板におけるＸ軸方向についての中央側には供給され難くなる。
【００５０】
＜他の実施形態＞
本発明は上記記述及び図面によって説明した実施形態に限定されるものではなく、例えば次のような実施形態も本発明の技術的範囲に含まれる。
（１）上記した各実施形態では、放熱部材の放熱部に形成された開口部を低放熱部とした場合を例示したが、開口部以外の部位が低放熱部となるケースも勿論あり得る。例えば、放熱部の長さが部分的に異なる構成において、放熱部が短くなる部分が低放熱部となり得る。その他にも、放熱部材がシャーシに対して部分的に接する構成において、放熱部材のうちシャーシとは非接触となる部分が低放熱部となり得る。また、放熱部材が、熱伝導性が異なる複数の部材に接触する構成において、放熱部材が相対的に熱伝導性が低い部材に接する部分が低放熱部となり得る。
（２）上記した各実施形態では、ＬＥＤ基板の設置数が３つとされた場合を示したが、ＬＥＤ基板の設置数は４つ以上であっても構わない。その場合、ＬＥＤ基板の設置数が４，６などの偶数の場合は、実施形態１に記載した構成（基板側コネクタが中間位置に対して中央位置側に偏在する構成）を採るのが好ましい。一方、ＬＥＤ基板の設置数が５，７などの奇数の場合は、実施形態２に記載した構成（中央側ＬＥＤ基板において基板側コネクタが中間位置に対して端位置側に偏在する構成）を採るのが好ましい。
（３）上記した各実施形態以外にも、輝度制限ＬＥＤ群、中央側ＬＥＤ群、端側ＬＥＤ群、中間ＬＥＤ群に含ませる具体的なＬＥＤ群の数や配置などは、適宜に変更可能である。
（４）上記した各実施形態以外にも、ＬＥＤ基板に対するＬＥＤ群の設置数、ＬＥＤ群の設置総数、ＬＥＤ群に含まれるＬＥＤの数などの具体的な数値は、適宜に変更可能である。
（５）上記した各実施形態では、ＬＥＤ基板において基板側コネクタが対称となる位置に配された場合を示したが、ＬＥＤ基板において基板側コネクタが非対称となる位置に配されていても構わない。また、ＬＥＤ基板における基板側コネクタの設置数は１つまたは３つ以上に変更することも可能である。
（６）上記した各実施形態以外にも、液晶パネルの具体的な画面サイズは、適宜に変更可能であり、例えば６０インチより小さくすることも勿論可能である。
（７）上記した各実施形態では、頂面発光型のＬＥＤを示したが、側面発光型のＬＥＤを光源として用いることも可能である。また、ＬＥＤ以外の光源（有機ＥＬなど）を用いることも可能である。
（８）上記した各実施形態では、導光板の外周端面における一方の長辺側の端面を入光端面とした片側入光タイプのバックライト装置を例示したが、導光板の外周端面におけるいずれか一方の短辺側の端面を入光端面とした片側入光タイプのバックライト装置であっても構わない。また、導光板の外周端面における一対の長辺側の端面または一対の短辺側の端面をそれぞれ入光端面とした両側入光タイプのバックライト装置であっても構わない。
（９）上記した各実施形態では、液晶表示装置（液晶パネルやバックライト装置）の平面形状が横長の方形とされる場合を示したが、液晶表示装置の平面形状が縦長の方形、正方形、長円形状、楕円形状、円形、台形、部分的に曲面を持つ形状などであっても構わない。
（１０）上記した各実施形態以外にも、液晶表示装置の具体的な用途などは適宜に変更可能である。
【符号の説明】
【００５１】
１０…液晶表示装置（表示装置）、１１…液晶パネル（表示パネル）、１２…バックライト装置（照明装置）、１７…ＬＥＤ（光源）、１８，１１８…ＬＥＤ基板（光源基板）、１９…導光板、１９ａ…入光端面、２１…放熱部材、２１ａ…ＬＥＤ基板取付部（光源基板取付部）、２１ｂ…放熱部、２１ｂ１，１２１ｂ１…開口部、２３，１２３…基板側コネクタ（給電接続部）、２４…配線部材（給電部材）、２６…ＬＥＤ制御部（光源制御部）、３１，１３１…ＬＥＤ群（光源群）、３３，１３３…低放熱部、３４，１３４…輝度制限ＬＥＤ群（輝度制限光源群）、３５，１３５…中央側ＬＥＤ群（中央側光源群）、３６…端側ＬＥＤ群（端側光源群）、３７…中間ＬＥＤ群（中間光源群）、ＣＰ…中央位置、ＥＰ…端位置、ＩＰ…中間位置
【図１】
2018181809.tif 000003
【図２】
2018181809.tif 000004
【図３】
2018181809.tif 000005
【図４】
2018181809.tif 000006
【図５】
2018181809.tif 000007
【図６】
2018181809.tif 000008
【図７】
2018181809.tif 000009
【図８】
2018181809.tif 000010
【図９】
2018181809.tif 000011
【図１０】
2018181809.tif 000012
【図１１】
2018181809.tif 000013
【図１２】
2018181809.tif 000014
【図１３】
2018181809.tif 000015
【図１４】
2018181809.tif 000016